(57)【要約】【課題】人が快適と感じるミストサウナ環境を生成する運転パターンを設計する。【解決手段】ミストサウナ設計方法は、複数の形容詞対を選択してＳＤ法に基づくアンケートを作成し、当該アンケートを用いて被験者に対して、ミストサウナ中と、ミストサウナ後それぞれにおいてアンケート調査を実施し、アンケート結果に基づいて、ＳＤ法に基づく因子分析を実行し、複数の因子を導出するとともに、因子負荷量を形容詞対ごとに導出し、因子負荷量の絶対値が最大となる因子が等しい形容詞対をグループ化して形容詞対群とする。そして、２つの因子を選定し、それぞれについて、形容詞対群に属する形容詞対の最大の因子負荷量に基づいて感性値を導出し、導出した感性値に基づいて、２軸マップを作成して出力する。【選択図】図１０
2014200550.tif 000002
【特許請求の範囲】
【請求項１】
ミストサウナ装置の運転パターンを設計するミストサウナ設計方法であって、
前記ミストサウナ装置が作り出す環境であるミストサウナ環境において人が感じる感性を表す、相対する意味関係を有する２つの形容詞で構成される形容詞対を複数選択する工程と、
選択された複数の前記形容詞対を用いて、ＳＤ法に基づくアンケートを作成する工程と、
前記アンケートを用い、被験者に対して、前記ミストサウナ環境下に配されているときであるミストサウナ中、および、該ミストサウナ環境下に配された後であって該ミストサウナ環境下から環境外へ移動したときであるミストサウナ後、それぞれにおいてアンケート調査を実施する工程と、
前記アンケート調査を実施する工程において得られた、前記ミストサウナ中のアンケート結果、および、前記ミストサウナ後のアンケート結果それぞれについて、ＳＤ法に基づく因子分析を実行し、複数の因子を導出するとともに、前記形容詞対が各因子に依存する度合いを示す因子負荷量を形容詞対ごとに導出する工程と、
前記因子負荷量の絶対値が最大となる因子が等しい形容詞対をグループ化して形容詞対群とする工程と、
前記ＳＤ法に基づく因子分析によって導出された複数の因子の中から２つの因子を選定し、該選定した２つの因子それぞれについて、グループ化された前記形容詞対群に属する形容詞対の最大の因子負荷量に基づいて、該形容詞対群に対応する因子の値である感性値を、前記ミストサウナ中、および、前記ミストサウナ後それぞれについて導出する工程と、
前記選定した２つの因子それぞれの、前記ミストサウナ中のアンケート結果から導出された感性値、および、前記ミストサウナ後のアンケート結果から導出された感性値に基づいて、２軸マップを作成する工程と、
前記２軸マップを表示部に出力する工程と、
を含むことを特徴とするミストサウナ設計方法。
【請求項２】
前記２軸マップを作成する工程において、形容詞対の数が最大の前記形容詞対群に対応する因子の感性値を少なくとも用いることを特徴とする請求項１に記載のミストサウナ設計方法。
【請求項３】
前記形容詞対の数が最大の前記形容詞対群に対応する因子は、快適か否かに起因する感性を表す因子であることを特徴とする請求項２に記載のミストサウナ設計方法。
【請求項４】
前記２軸マップを作成する工程において、形容詞対の数が２番目に多い前記形容詞対群に対応する因子の感性値をさらに用いることを特徴とする請求項２または３に記載のミストサウナ設計方法。
【請求項５】
前記形容詞対の数が２番目に多い前記形容詞対群に対応する因子は、温度および湿度に起因する感性を表す因子であることを特徴とする請求項４に記載のミストサウナ設計方法。
【請求項６】
ミストサウナ装置の運転パターンを設計するミストサウナ設計システムであって、
前記ミストサウナ装置が作り出す環境であるミストサウナ環境において人が感じる感性を表す、相対する意味関係を有する２つの形容詞で構成される形容詞対を複数用いて作成された、ＳＤ法に基づくアンケートを用い、被験者に対して、前記ミストサウナ環境下に配されているときであるミストサウナ中、および、該ミストサウナ環境下に配された後であって該ミストサウナ環境下から環境外へ移動したときであるミストサウナ後、それぞれにおいてアンケート調査を実施する調査実施部と、
前記調査実施部によって得られた、前記ミストサウナ中のアンケート結果、および、前記ミストサウナ後のアンケート結果それぞれについて、ＳＤ法に基づく因子分析を実行し、複数の因子を導出するとともに、前記形容詞対が各因子に依存する度合いを示す因子負荷量を形容詞対ごとに導出する因子負荷量導出部と、
前記因子負荷量の絶対値が最大となる因子が等しい形容詞対をグループ化して形容詞対群とするグループ化部と、
前記ＳＤ法に基づく因子分析によって導出された複数の因子の中から２つの因子を選定し、該選定した２つの因子それぞれについて、グループ化された前記形容詞対群に属する形容詞対の最大の因子負荷量に基づいて、該形容詞対群に対応する因子の値である感性値を、前記ミストサウナ中、および、前記ミストサウナ後それぞれについて導出する感性値導出部と、
前記選定した２つの因子それぞれの、前記ミストサウナ中のアンケート結果から導出された感性値、および、前記ミストサウナ後のアンケート結果から導出された感性値に基づいて、２軸マップを作成するマップ作成部と、
前記２軸マップを表示部に出力する出力部と、
を備えたことを特徴とするミストサウナ設計システム。
【発明の詳細な説明】
【技術分野】
【０００１】
本発明は、ミストサウナ装置の運転パターンを設計するミストサウナ設計方法、および、ミストサウナ設計システムに関する。
【背景技術】
【０００２】
近年、浴室等の室内に霧状の湯（ミスト）を充満させるミストサウナ装置が普及している（例えば、特許文献１）。ミストサウナ装置によって生成されるミストサウナ環境（ミストが充満した室内）に入ることによって、発汗や、血行が促進されたり、保温効果や、保湿効果、リフレッシュ効果、リラックス効果が得られたりするため、ミストサウナ装置は、人の健康増進に寄与する装置として注目されている。
【０００３】
上述したミストサウナ装置において、人が快適と感じるミストサウナ環境を生成することができる運転パターンの開発が求められている。
【０００４】
そこで、従来、複数の被験者にミストサウナ環境を体験してもらい、その後、被験者に対して、ミストサウナ環境を体験した結果得られた感想を自由に記載してもらうアンケートを実施して、当該アンケート結果を参照することで、人が快適と感じるミストサウナ環境を把握する試みがなされていた。
【先行技術文献】
【特許文献】
【０００５】
【特許文献１】特開２０１３−３４８９８号公報
【発明の概要】
【発明が解決しようとする課題】
【０００６】
上述したミストサウナ環境における人の快適性（快適か否かに起因する感性）に寄与する要素は、ミストの平均粒子径、ミストの温度、室内の温度、室内の湿度、ミストの風量、ミストを生成する際に生じる音等多岐に亘る。しかし、人の感性は、曖昧模糊としたものであり、上記複数の要素のうち、どの要素がどの程度ミストサウナ環境の快適性に寄与しているかを被験者自身が認識していないことが多い。このため、上述した感想を自由に記載してもらうアンケートを実施しても、どの要素をどのように設定すれば、快適なミストサウナ環境を生成できるかを把握するのは困難であった。
【０００７】
そこで、本発明は、ミストサウナ環境下に配された人が感じる感性を数値化することによって、人が快適と感じるミストサウナ環境を定量的に把握することができ、人が快適と感じるミストサウナ環境を生成する運転パターンを設計することが可能なミストサウナ設計方法、および、ミストサウナ設計システムを提供することを目的としている。
【課題を解決するための手段】
【０００８】
上記課題を解決するために、本発明のミストサウナ設計方法は、ミストサウナ装置の運転パターンを設計するミストサウナ設計方法であって、前記ミストサウナ装置が作り出す環境であるミストサウナ環境において人が感じる感性を表す、相対する意味関係を有する２つの形容詞で構成される形容詞対を複数選択する工程と、選択された複数の前記形容詞対を用いて、ＳＤ法に基づくアンケートを作成する工程と、前記アンケートを用い、被験者に対して、前記ミストサウナ環境下に配されているときであるミストサウナ中、および、該ミストサウナ環境下に配された後であって該ミストサウナ環境下から環境外へ移動したときであるミストサウナ後、それぞれにおいてアンケート調査を実施する工程と、前記アンケート調査を実施する工程において得られた、前記ミストサウナ中のアンケート結果、および、前記ミストサウナ後のアンケート結果それぞれについて、ＳＤ法に基づく因子分析を実行し、複数の因子を導出するとともに、前記形容詞対が各因子に依存する度合いを示す因子負荷量を形容詞対ごとに導出する工程と、前記因子負荷量の絶対値が最大となる因子が等しい形容詞対をグループ化して形容詞対群とする工程と、前記ＳＤ法に基づく因子分析によって導出された複数の因子の中から２つの因子を選定し、該選定した２つの因子それぞれについて、グループ化された前記形容詞対群に属する形容詞対の最大の因子負荷量に基づいて、該形容詞対群に対応する因子の値である感性値を、前記ミストサウナ中、および、前記ミストサウナ後それぞれについて導出する工程と、前記選定した２つの因子それぞれの、前記ミストサウナ中のアンケート結果から導出された感性値、および、前記ミストサウナ後のアンケート結果から導出された感性値に基づいて、２軸マップを作成する工程と、前記２軸マップを表示部に出力する工程と、を含むことを特徴とする。
【０００９】
また、前記２軸マップを作成する工程において、形容詞対の数が最大の前記形容詞対群に対応する因子の感性値を少なくとも用いるとしてもよい。
【００１０】
また、前記形容詞対の数が最大の前記形容詞対群に対応する因子は、快適か否かに起因する感性を表す因子であるとしてもよい。
【００１１】
また、前記２軸マップを作成する工程において、形容詞対の数が２番目に多い前記形容詞対群に対応する因子の感性値をさらに用いるとしてもよい。
【００１２】
また、前記形容詞対の数が２番目に多い前記形容詞対群に対応する因子は、温度および湿度に起因する感性を表す因子であるとしてもよい。
【００１３】
上記課題を解決するために、本発明のミストサウナ設計システムは、ミストサウナ装置の運転パターンを設計するミストサウナ設計システムであって、前記ミストサウナ装置が作り出す環境であるミストサウナ環境において人が感じる感性を表す、相対する意味関係を有する２つの形容詞で構成される形容詞対を複数用いて作成された、ＳＤ法に基づくアンケートを用い、被験者に対して、前記ミストサウナ環境下に配されているときであるミストサウナ中、および、該ミストサウナ環境下に配された後であって該ミストサウナ環境下から環境外へ移動したときであるミストサウナ後、それぞれにおいてアンケート調査を実施する調査実施部と、前記調査実施部によって得られた、前記ミストサウナ中のアンケート結果、および、前記ミストサウナ後のアンケート結果それぞれについて、ＳＤ法に基づく因子分析を実行し、複数の因子を導出するとともに、前記形容詞対が各因子に依存する度合いを示す因子負荷量を形容詞対ごとに導出する因子負荷量導出部と、前記因子負荷量の絶対値が最大となる因子が等しい形容詞対をグループ化して形容詞対群とするグループ化部と、前記ＳＤ法に基づく因子分析によって導出された複数の因子の中から２つの因子を選定し、該選定した２つの因子それぞれについて、グループ化された前記形容詞対群に属する形容詞対の最大の因子負荷量に基づいて、該形容詞対群に対応する因子の値である感性値を、前記ミストサウナ中、および、前記ミストサウナ後それぞれについて導出する感性値導出部と、前記選定した２つの因子それぞれの、前記ミストサウナ中のアンケート結果から導出された感性値、および、前記ミストサウナ後のアンケート結果から導出された感性値に基づいて、２軸マップを作成するマップ作成部と、前記２軸マップを表示部に出力する出力部と、を備えたことを特徴とする。
【発明の効果】
【００１４】
本発明によれば、ミストサウナ環境下に配された人が感じる感性を数値化することによって、人が快適と感じるミストサウナ環境を定量的に把握することができ、人が快適と感じるミストサウナ環境を生成する運転パターンを設計することが可能となる。
【図面の簡単な説明】
【００１５】
【図１】ミストサウナ設計システムの概略的な接続関係を説明するための図である。
【図２】実施装置の構成を説明するための機能ブロック図である。
【図３】分析装置の構成を説明するための機能ブロック図である。
【図４】形容詞対選択部が選択した形容詞対の例を示す図である。
【図５】アンケート作成部によって作成されたＳＤ法に基づくアンケートを説明するための図である。
【図６】実施装置によるアンケート調査に基づいて得られるアンケート結果を説明するための図である。
【図７】因子負荷量導出部による因子分析の結果を説明するための図である。
【図８】グループ化部の処理を説明するための図である。
【図９】マップ作成部によって作成された２軸マップを説明するための図である。
【図１０】ミストサウナ設計方法の処理の流れを説明するためのフローチャートである。
【発明を実施するための形態】
【００１６】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（ミストサウナ設計システム１００）
図１は、本実施形態にかかるミストサウナ設計システム１００の概略的な接続関係を説明するための図である。図１に示すように、ミストサウナ設計システム１００は、分析装置１１０と、通信網１２０と、実施装置１３０とを含んで構成される。
【００１８】
分析装置１１０は、ミストサウナ装置の設計者の操作入力に基づいて、被験者に対して実施するアンケートを作成するアンケート作成処理、および、ミストサウナ装置が生成するミストサウナ環境下の被験者に対してアンケートを実施することで得られたアンケート結果を集計、分析して分析結果を導出する結果導出処理を遂行する。
【００１９】
通信網１２０は、ＬＡＮ、専用回線、インターネット等で構成され分析装置１１０と実施装置１３０とを無線または有線により接続する。
【００２０】
実施装置１３０は、被験者ごとに利用され、分析装置１１０によって作成されたアンケートを表示し、被験者に対してアンケートを実施する調査処理を遂行する。
【００２１】
以下、分析装置１１０および実施装置１３０の具体的な構成について詳述する。ここでは、まず実施装置１３０の構成について説明し、続いて、分析装置１１０の構成について説明する。
【００２２】
（実施装置１３０）
図２は、実施装置１３０の構成を説明するための機能ブロック図である。図２に示すように、実施装置１３０は、操作部３１０と、通信部３２０と、中央制御部３３０と、表示部３４０とを含んで構成される。
【００２３】
操作部３１０は、キーボード、ポインティングデバイス、十字キー、ジョイスティック、後述する表示部３４０に重畳されたタッチパネル等で構成され、被験者の操作入力を受け付ける。
【００２４】
通信部３２０は、通信網１２０を介して分析装置１１０との通信を確立し、分析装置１１０によって作成されたアンケートを受信したり、後述する中央制御部３３０によって得られたアンケート結果を分析装置１１０に送信したりする。
【００２５】
中央制御部３３０は、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働して実施装置１３０全体を管理および制御する。
【００２６】
表示部３４０は、液晶ディスプレイ、有機ＥＬ(Electro Luminescence)ディスプレイ等で構成され、後述する調査実施部３５０の制御指令に基づいて、アンケートを表示する。
【００２７】
本実施形態において、中央制御部３３０は、調査実施部３５０としても機能する。ここで、調査実施部３５０は、上記調査処理において機能する。
【００２８】
調査実施部３５０は、分析装置１１０によって作成されたアンケートを用い、被験者に対して、ミストサウナ環境下に配される前（以下、「ミストサウナ前」と称する）、ミストサウナ環境下に配されているとき（以下、「ミストサウナ中」と称する）、および、ミストサウナ環境下に配された後であってミストサウナ環境下から環境外へ移動したとき（以下、「ミストサウナ後」と称する）、それぞれにおいてアンケート調査を実施する。
【００２９】
具体的に説明すると、調査実施部３５０は、通信部３２０が受信したアンケートを表示部３４０に表示させる。そして、操作部３１０を通じた被験者による操作入力に基づいて、アンケート調査を実施する。なお、実施装置１３０の詳細な動作については、分析装置１１０の動作と併せて、後に詳述する。
【００３０】
（分析装置１１０）
図３は、分析装置１１０の構成を説明するための機能ブロック図である。図３に示すように、分析装置１１０は、操作部２１０と、通信部２２０と、中央制御部２３０と、表示部２４０とを含んで構成される。
【００３１】
操作部２１０は、キーボード、ポインティングデバイス、十字キー、ジョイスティック、後述する表示部２４０に重畳されたタッチパネル等で構成され、設計者の操作入力を受け付ける。
【００３２】
通信部２２０は、通信網１２０を介して実施装置１３０との通信を確立し、後述する中央制御部２３０が生成したアンケートを実施装置１３０に送信したり、実施装置１３０によって得られたアンケート結果を受信したりする。
【００３３】
中央制御部２３０は、ＣＰＵ（中央処理装置）を含む半導体集積回路で構成され、ＲＯＭからＣＰＵ自体を動作させるためのプログラムやパラメータ等を読み出し、ワークエリアとしてのＲＡＭや他の電子回路と協働して分析装置１１０全体を管理および制御する。本実施形態において、中央制御部２３０は、形容詞対選択部２５０、アンケート作成部２５２、因子負荷量導出部２６０、グループ化部２６２、感性値導出部２６４、マップ作成部２６６、出力部２６８としても機能する。ここで、形容詞対選択部２５０、アンケート作成部２５２は、上記アンケート作成処理において機能し、因子負荷量導出部２６０、グループ化部２６２、感性値導出部２６４、マップ作成部２６６、出力部２６８は、上記結果導出処理において機能する。以下、中央制御部２３０の各機能部について説明する。
【００３４】
形容詞対選択部２５０は、操作部２１０を通じた設計者による操作入力に基づいて選択された、ミストサウナ装置が作り出す環境であるミストサウナ環境において人が感じる感性を表す、複数の相対する意味関係を有する２つの形容詞で構成される形容詞対を、不図示のメモリに記憶する。図４は、形容詞対選択部２５０が選択した形容詞対の例を示す図である。ここで、相対する形容詞対は、例えば、「暑い」および「寒い」といった、意味の上で互いに反対の関係にある形容詞（対義語、反対語、反意語ともいう）の対を示す。
【００３５】
ミストサウナ環境において人が感じる感性を表す、相対する形容詞対の選択は、例えば、複数の辞書から形容詞を１０００個程度抽出し、ミストサウナ装置、ドライサウナ装置、空調機器等のカタログ、ミストサウナ装置、ドライサウナ装置、空調機器等の販売従業者に対するアンケート等を参考にして５０〜６０程度（ここでは、５７形容詞対）の形容詞対に絞り込むことで為される。こうして、設計者によって、図４に示すような複数の形容詞対が選択され、形容詞対選択部２５０によってメモリに記憶されることとなる。
【００３６】
アンケート作成部２５２は、形容詞対選択部２５０によって記憶された複数の形容詞対を用いて、ＳＤ法に基づくアンケートを作成する。図５は、アンケート作成部２５２によって作成されたＳＤ法に基づくアンケート２７０を説明するための図である。ＳＤ（Semantic Differential: 意味微分）法は、相対する形容詞対を両極におき、人が感じた感性を、両極間に設けられた複数段階の尺度で測定する手法である。したがって、ＳＤ法に基づくアンケート（感性アンケート）２７０は、図５に示すように、行２７２ごとに、その両極に、相対する形容詞対２７４（図５中、２７４ａ、２７４ｂで示す）が配され、形容詞対２７４ａ、２７４ｂ間に複数段階（ここでは、５段階）の尺度２７６（図５中、２７６ａ〜２７６ｅ）が配される。
【００３７】
このようにして生成されたアンケート２７０は、通信部２２０を通じて、実施装置１３０へ送信される。アンケート２７０を受信した実施装置１３０は、上述したように、当該アンケート２７０を表示し、被験者による操作入力に基づいてアンケート調査を実施する。
【００３８】
図６は、実施装置１３０によるアンケート調査に基づいて得られるアンケート結果を説明するための図である。実施装置１３０は、各質問（形容詞対２７４ａ、２７４ｂ）に対して、自身が感じた感性に最も近い尺度２７６を被験者に選択させる。そうすると、図６に示すように、被験者の操作入力（選択入力）に基づいて、被験者が選択した尺度２７６が選択されることとなる（図６中、黒四角で示す）。
【００３９】
また、本実施形態において、実施装置１３０は、アンケート結果として、尺度２７６のうち、被験者によって選択された尺度２７６を左側から順に「５」、「４」、「３」、「２」、「１」と数値化する。具体的に説明すると、例えば、質問１に対して、被験者によって、最も左側に位置する尺度２７６ａ「大変感じる」が選択されると「５」と数値化し、被験者によって、左から２番目に位置する尺度２７６ｂ「やや感じる」が選択されると「４」と数値化し、左から３番目に位置する尺度２７６ｃ「同程度」が選択されると「３」と数値化し、左から４番目に位置する尺度２７６ｄ「やや感じる」が選択されると「２」と数値化し、最も右側に位置する尺度２７６ｅ「大変感じる」が選択されると「１」と数値化する。なお、ここでは、１の質問に対して、被験者によって選択される尺度２７６は、排他的であるものとする。
【００４０】
そして、実施装置１３０は、複数の被験者に対してアンケート調査を実施し、複数の被験者それぞれに対しては、ミストサウナ前、ミストサウナ中、および、ミストサウナ後、それぞれにおいて同一のアンケート２７０を用いてアンケート調査を実施する。このようにして実施装置１３０によって得られたアンケート結果は、分析装置１１０に送信されることとなる。また、アンケート結果は、ミストサウナ前、ミストサウナ中、および、ミストサウナ後、それぞれにおいて、形容詞対２７４ごと、被験者ごとに得られることとなる。
【００４１】
図３に戻り、因子負荷量導出部２６０は、実施装置１３０によって得られた、ミストサウナ中のアンケート結果、および、ミストサウナ後のアンケート結果それぞれについて、ＳＤ法に基づく因子分析を実行し、複数の因子を導出するとともに、形容詞対２７４が各因子に依存する度合いを示す因子負荷量を形容詞対２７４ごとに導出する。
【００４２】
具体的に説明すると、形容詞対２７４それぞれに対して、ミストサウナ前のアンケート結果（数値）をＡ、ミストサウナ中のアンケート結果（数値）をＢ、ミストサウナ後のアンケート結果（数値）をＣとすると、（１）Ｂ−Ａ（ミストサウナ環境下の感性状態）、および、（２）Ｃ−Ａ（ミストサウナ環境を体験した後の感性状態）を、被験者ごとに導出する。例えば、ある被験者による、ある形容詞対２７４の、ミストサウナ前のアンケート結果が「３」、ミストサウナ中のアンケート結果が「５」、ミストサウナ後のアンケート結果が「４」であった場合、差分（１）は、５−３＝２となり、差分（２）は、４−３＝１となる。
【００４３】
このように、ミストサウナ前のアンケート結果を減算することにより、被験者個人の既存の感性（暑がり、寒がり等）がアンケート結果に影響してしまう事態を回避することができる。
【００４４】
そして、差分（１）、（２）それぞれに対して、ＳＤ法に基づく因子分析を実行する。そうすると、複数の因子（共通因子）が導出されるとともに、因子負荷量が形容詞対２７４ごとに導出されることとなる。なお、ＳＤ法に基づく因子分析は、既存の技術であるため詳しい説明は省略する。
【００４５】
図７は、因子負荷量導出部２６０による因子分析の結果を説明するための図である。図７に示すように、因子負荷量導出部２６０によって上記差分（１）、（２）それぞれに対する因子分析が実行されると、１の差分に対して、複数（例えば、１５程度）の因子２８０（図７中、２８０ａ、２８０ｂ、２８０ｃ、２８０ｄで示す）がそれぞれ導出される。また、因子２８０の導出とともに、形容詞対２７４ごと（質問ごと）に因子負荷量が導出されることとなる。
【００４６】
ここで、因子負荷量は、形容詞対２７４が各因子２８０に依存する度合いを示す。つまり、因子負荷量の絶対値が大きいほど、その因子２８０に依存（寄与）する度合いが大きく、また、因子負荷量の絶対値が小さいほど、その因子２８０に依存（寄与）する度合いが小さいこととなる。
【００４７】
グループ化部２６２は、因子負荷量の絶対値が最大となる因子２８０が等しい形容詞対２７４をグループ化して形容詞対群とする。図８は、グループ化部２６２の処理を説明するための図である。グループ化部２６２は、まず、形容詞対２７４それぞれにおいて、因子負荷量の絶対値が最大となる因子２８０を決定する。例えば、図８に示すように、質問Ｎｏ．２８の形容詞対２７４「悪い−良い」は、因子負荷量の絶対値が最大（０．８５）となる因子２８０が第１因子である。そして、グループ化部２６２は、図８中、太枠で示すように、因子負荷量の絶対値が最大となる因子２８０が等しい形容詞対２７４をグループ化して形容詞対群２９０（図８中、２９０ａ、２９０ｂ、２９０ｃで示す）とする。
【００４８】
感性値導出部２６４は、まず、ＳＤ法に基づく因子分析によって導出された複数の因子２８０の中から２つの因子２８０を選定する。そして、感性値導出部２６４は、選定した２つの因子２８０それぞれについて、グループ化された形容詞対群２９０に属する形容詞対２７４の最大の因子負荷量に基づいて、形容詞対群２９０に対応する因子２８０の値である感性値を、ミストサウナ中、および、ミストサウナ後それぞれについて導出する。
【００４９】
具体的に説明すると、感性値導出部２６４は、形容詞対群２９０に属する形容詞対２７４の最大の因子負荷量に、差分（１）を積算した値（積算値Ｄ１）を、当該形容詞対２７４ごとに導出する。そして、感性値導出部２６４は、形容詞対群２９０に属する形容詞対２７４すべてに関する積算値Ｄ１を合計して合計値Ｔ１を導出する。このようにして導出した合計値Ｔ１を被験者ごとに平均した値を、ミストサウナ中における、形容詞対群２９０に対応する因子２８０の感性値Ｍ１とする。したがって、感性値Ｍ１は、因子２８０ごとに導出されることとなる。
【００５０】
同様に、感性値導出部２６４は、形容詞対群２９０に属する形容詞対２７４の最大の因子負荷量に、差分（２）を積算した値（積算値Ｄ２）を、当該形容詞対２７４ごとに導出する。そして、感性値導出部２６４は、形容詞対群２９０に属する形容詞対２７４すべてに関する積算値Ｄ２を合計して合計値Ｔ２を導出する。このようにして導出した合計値Ｔ２を被験者ごとに平均した値を、ミストサウナ後における、形容詞対群２９０に対応する因子２８０の感性値Ｍ２とする。したがって、感性値Ｍ２は、因子２８０ごとに導出されることとなる。
【００５１】
マップ作成部２６６は、選定した２つの因子２８０それぞれの感性値Ｍ１、感性値Ｍ２（少なくとも、合計４つの感性値）に基づいて、２軸マップを作成する。本実施形態において、マップ作成部２６６は、形容詞対２７４の数が最大の形容詞対群２９０に対応する因子２８０の感性値Ｍ１、Ｍ２と、形容詞対２７４の数が２番目に多い形容詞対群２９０に対応する因子２８０の感性値Ｍ１、Ｍ２に基づいて、２軸マップを作成する。このようにして、生成された２軸マップは、出力部２６８によって、液晶ディスプレイ、有機ＥＬ(Electro Luminescence)ディスプレイ等で構成された表示部２４０に出力される。
【００５２】
本願発明者が鋭意検討したところ、上記アンケート２７０において、形容詞対２７４の数が最大の形容詞対群２９０に対応する因子２８０（第１因子）の形容詞対２７４を解釈すると、当該第１因子は、快適か否かに起因する感性を表す因子（以下、単に「快適性」と称する）であることを見出した。したがって、マップ作成部２６６が、形容詞対２７４の数が最大の形容詞対群２９０に対応する因子２８０の感性値Ｍ１、Ｍ２に基づいて２軸マップを作成する構成により、人の快適性を定量的に把握することができる。
【００５３】
また、本願発明者が鋭意検討したところ、上記アンケート２７０において、形容詞対２７４の数が２番目に多い形容詞対群２９０に対応する因子２８０（第２因子）の形容詞対２７４を解釈すると、当該第２因子は、温度および湿度に起因する感性を表す因子（以下、単に「温湿度」と称する）であることを見出した。
【００５４】
図９は、マップ作成部２６６によって作成された２軸マップ３００を説明するための図である。図９に示す２軸マップ３００では、快適性（形容詞対２７４の数が最大の形容詞対群２９０に対応する因子２８０、ここでは第１因子）を横軸とし、温湿度（形容詞対２７４の数が２番目に多い形容詞対群２９０に対応する因子２８０、ここでは第２因子）を縦軸とした。
【００５５】
また、図９に示す２軸マップ３００において、ミストサウナ中における感性値Ｍ１を白い丸、白い四角、白い三角、白い菱形で示し、ミストサウナ後における感性値Ｍ２を黒い丸、黒い四角、黒い三角、黒い菱形で示す。
【００５６】
例えば、図９に示す、ミストの平均粒子径、ミストの温度、室内の温度、室内の湿度、ミストの風量、ミストを生成する際に生じる音の群から選択される１または複数が異なるケース１、ケース２、ケース３、ケース４のミストサウナ環境下に被験者を配し、導出された感性値Ｍ１、Ｍ２に基づいて生成された２軸マップ３００を、設計者が参照する。そうすると、快適性についての感性値Ｍ１と感性値Ｍ２との差分は、ケース２が最も大きく、ケース３、ケース１、ケース４の順で小さくなることを、設計者に視覚的に把握させることができる。これにより、設計者は、ケース１〜４のミストサウナ環境のうち、ケース２のミストサウナ環境が、人が最も快適と感じる環境であることを把握することができる。
【００５７】
つまり、快適性についての感性値Ｍ１と感性値Ｍ２との差分が大きくなればなるほど、人が快適と感じることとなる。このため、ミストサウナ環境を構成する各要素（ミストの平均粒子径、ミストの温度、室内の温度、室内の湿度、ミストの風量、ミストを生成する際に生じる音等）を変化させて、２軸マップ３００を作成することで、設計者に、人が快適と感じるミストサウナ環境を定量的に把握させることができる。したがって、設計者は、２軸マップ３００を利用することで、人が快適と感じるミストサウナ環境を生成する運転パターンを設計することが可能となる。
【００５８】
（ミストサウナ設計方法）
続いて、ミストサウナ設計システム１００を用いたミストサウナ設計方法について説明する。図１０は、本実施形態にかかるミストサウナ設計方法の処理の流れを説明するためのフローチャートである。
【００５９】
（形容詞対選択工程Ｓ４１０）
形容詞対選択工程Ｓ４１０において、分析装置１１０の形容詞対選択部２５０は、操作部２１０を通じて設計者による操作入力に基づいて選択された、ミストサウナ装置が作り出す環境であるミストサウナ環境において人が感じる感性を表す、複数の相対する形容詞対２７４をメモリに記憶する（図４参照）。
【００６０】
（アンケート作成工程Ｓ４２０）
アンケート作成工程Ｓ４２０において、分析装置１１０のアンケート作成部２５２は、形容詞対選択工程Ｓ４１０において選択された複数の形容詞対２７４を用いて、ＳＤ法に基づくアンケート２７０を作成する（図５参照）。そして、アンケート作成部２５２は、通信部２２０を通じて、生成したアンケート２７０を実施装置１３０に送信する。
【００６１】
（調査実施工程Ｓ４３０）
調査実施工程Ｓ４３０において、実施装置１３０の通信部３２０は、アンケート作成工程Ｓ４２０において生成されたアンケート２７０を受信する。そして、実施装置１３０の調査実施部３５０は、受信したアンケート２７０を用い、被験者に対して、ミストサウナ前、ミストサウナ中、および、ミストサウナ後、それぞれにおいてアンケート調査を実施する。そして、調査実施部３５０は、通信部３２０を通じて、得られたアンケート結果（図６参照）を分析装置１１０に送信する。
【００６２】
（因子負荷量導出工程Ｓ４４０）
因子負荷量導出工程Ｓ４４０において、分析装置１１０の通信部２２０は、調査実施工程Ｓ４３０において得られた、ミストサウナ中のアンケート結果、および、ミストサウナ後のアンケート結果を受信する。そして、分析装置１１０の因子負荷量導出部２６０は、ミストサウナ中のアンケート結果、および、ミストサウナ後のアンケート結果それぞれについて、ＳＤ法に基づく因子分析を実行し、複数の因子２８０を導出するとともに、形容詞対２７４が各因子２８０に依存する度合いを示す因子負荷量を形容詞対２７４ごとに導出する（図７参照）。
【００６３】
（グループ化工程Ｓ４５０）
グループ化工程Ｓ４５０において、分析装置１１０のグループ化部２６２は、因子負荷量の絶対値が最大となる因子２８０が等しい形容詞対２７４をグループ化して形容詞対群２９０とする（図８参照）。
【００６４】
（感性値導出工程Ｓ４６０）
感性値導出工程Ｓ４６０において、分析装置１１０の感性値導出部２６４は、形容詞対群２９０に属する形容詞対２７４の因子負荷量および当該形容詞対２７４のアンケート結果に基づいて、形容詞対群２９０に対応する因子２８０の値である感性値Ｍ１、Ｍ２を導出する。
【００６５】
（マップ作成工程Ｓ４７０）
マップ作成工程Ｓ４７０において、分析装置１１０のマップ作成部２６６は、ＳＤ法に基づく因子分析によって導出された複数の因子２８０の中から２つの因子２８０を選定し、２つの感性値Ｍ１、Ｍ２に基づいて、２軸マップ３００を作成する（図９参照）。
【００６６】
（出力工程Ｓ４８０）
出力工程Ｓ４８０において、分析装置１１０の出力部２６８は、２軸マップ３００を表示部２４０に出力する。
【００６７】
以上説明したように、本実施形態にかかるミストサウナ設計システム１００およびこれを用いたミストサウナ設計方法によれば、ミストサウナ環境下に配された人が感じる感性を数値化することによって、人が快適と感じるミストサウナ環境を定量的に把握することができ、人が快適と感じるミストサウナ環境を生成する運転パターンを設計することが可能となる。
【００６８】
また、被験者を任意の群（性別、年齢、国籍、出身地等で区画される群、例えば、男性、３０代、日本人等）とすることで、当該任意の群に属する人が快適と感じるミストサウナ環境を定量的に把握することができ、人が快適と感じるミストサウナ環境を生成する運転パターンを設計することが可能となる。
【００６９】
以上、添付図面を参照しながら本発明の好適な実施形態について説明したが、本発明はかかる実施形態に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７０】
例えば、上記実施形態において、因子負荷量導出部２６０は、ミストサウナ中のアンケート結果と、ミストサウナ前のアンケート結果との差分（１）、および、ミストサウナ後のアンケート結果と、ミストサウナ前のアンケート結果との差分（２）の因子分析を実行している。しかし、因子負荷量導出部２６０は、少なくとも、ミストサウナ中のアンケート結果、および、ミストサウナ後のアンケート結果の因子分析を行えば、２軸マップ３００を作成することができる。
【００７１】
また、上記実施形態において、マップ作成部２６６は、形容詞対２７４の数が最大の形容詞対群２９０に対応する感性値Ｍ１、Ｍ２と、形容詞対２７４の数が２番目に多い形容詞対群２９０に対応する感性値Ｍ１、Ｍ２とに基づいて２軸マップ３００を作成している。しかし、マップ作成部２６６は、ＳＤ法に基づく因子分析によって導出された複数の因子２８０の中から２つの因子２８０を選定し、２つの感性値に基づいて、２軸マップ３００を作成すればよい。したがって、例えば、形容詞対２７４の数が最大の形容詞対群２９０に対応する感性値Ｍ１、Ｍ２と、形容詞対２７４の数が３番目に多い形容詞対群２９０に対応する感性値Ｍ１、Ｍ２とに基づいて２軸マップ３００を作成してもよい。
【００７２】
なお、本願発明者が鋭意検討したところ、上記アンケート２７０において、形容詞対２７４の数が３番目に多い形容詞対群２９０に対応する因子２８０の形容詞対２７４を解釈すると、当該因子２８０は、風量に起因する感性を表す因子（以下、単に「風量」と称する）であることを見出している。したがって、快適性と風量との２軸マップ３００によっても、人が快適と感じるミストサウナ環境を生成する運転パターンを設計することが可能となる。
【００７３】
同様に、音に起因する感性を表す因子や、圧迫感に起因する感性を表す因子、色に起因する感性を表す因子等に対応する感性値を用いて２軸マップ３００を生成することもできる。
【００７４】
また、上記実施形態において、表示部２４０、３４０として、液晶ディスプレイ、有機ＥＬ(Electro Luminescence)ディスプレイを例に挙げて説明したが、表示部は、紙媒体であってもよい。
【００７５】
また、上記実施形態において、被験者ごとに実施装置１３０を利用する構成について説明したが、１つの実施装置１３０を複数の被験者が利用してもよい。
【００７６】
また、上記実施形態において、アンケート作成処理および結果導出処理を遂行する分析装置１１０を備えたミストサウナ設計システム１００について説明したが、ミストサウナ設計システム１００は、アンケート作成処理を遂行せず、設計者の操作入力に基づいてアンケート２７０を取得して、結果導出処理を遂行してもよい。
【００７７】
また、上記実施形態において、調査処理を遂行する実施装置１３０を備えたミストサウナ設計システム１００について説明したが、ミストサウナ設計システム１００は、調査処理を遂行せず、設計者の操作入力に基づいてアンケート結果を取得して、結果導出処理を遂行してもよい。
【００７８】
また、上記実施形態において、分析装置１１０と、実施装置１３０とを含んで構成されるミストサウナ設計システム１００について説明した。しかし、分析装置１１０の機能（操作部２１０、中央制御部２３０と、表示部２４０、形容詞対選択部２５０、アンケート作成部２５２、因子負荷量導出部２６０、グループ化部２６２、感性値導出部２６４、マップ作成部２６６、出力部２６８）と、実施装置１３０の機能（調査実施部３５０）とを備えたミストサウナ設計装置によっても、上記２軸マップ３００を生成することができる。
【００７９】
なお、本明細書のミストサウナ設計方法の各工程は、必ずしもフローチャートとして記載された順序に沿って時系列に処理する必要はなく、並列的あるいはサブルーチンによる処理を含んでもよい。
【産業上の利用可能性】
【００８０】
本発明は、ミストサウナ装置の運転パターンを設計するミストサウナ設計方法、および、ミストサウナ設計システムに利用することができる。
【符号の説明】
【００８１】
１００  …ミストサウナ設計システム
１１０  …分析装置
１３０  …実施装置
２４０、３４０  …表示部
２５０  …形容詞対選択部
２５２  …アンケート作成部
２６０  …因子負荷量導出部
２６２  …グループ化部
２６４  …感性値導出部
２６６  …マップ作成部
２６８  …出力部
３５０  …調査実施部
【図１】
2014200550.tif 000003
【図２】
2014200550.tif 000004
【図３】
2014200550.tif 000005
【図４】
2014200550.tif 000006
【図５】
2014200550.tif 000007
【図６】
2014200550.tif 000008
【図７】
2014200550.tif 000009
【図８】
2014200550.tif 000010
【図９】
2014200550.tif 000011
【図１０】
2014200550.tif 000012